(57)【要約】【課題】薄型化された折り畳み式電子機器において、ディスプレイ部を対してタッチ操作を行ってもディスプレイ部の揺れを低減可能な開閉装置を提供する。【解決手段】第１筺体１に設けられた２つのヒンジ８を備えた開閉装置４２で第１筺体１に対して折り畳み可能に連結されたタッチパネル付の第２筺体２を備えるノートパソコン３において、第１筺体１の剛性を第２筺体２の剛性よりも高くし、ヒンジ８を第１筺体１取り付ける第１取付部と第２筺体２に取り付ける第２取付部及び第１取付部と第２取付部を連結するヒンジ回転軸８Ａから形成し、第１取付部を第１筺体１の１つの辺１５に対して角度Ａだけ傾斜させて取り付け、ヒンジ回転軸８Ａの軸線ＡＸを第１筺体１の上で交差させる。この構造により、第２筺体２を第１筺体１から開くと、第２筺体２は第１筺体１側を凸にして湾曲し、タッチパネルを操作した時の第２筺体２の揺れが防止される。【選択図】図１１
2015109013.tif 000002
【特許請求の範囲】
【請求項１】
ヒンジにより、第１筺体に対して第２筺体を折り畳み可能に連結する折畳式物品の開閉装置であって、
前記ヒンジは、前記第１筺体と前記第２筺体が折り畳まれた状態で、前記第１筺体の前記第２筐体との連結辺の両側に１つずつ設けられており、
前記第１筺体に取り付けられる前記ヒンジの第１取付部と、前記第２筺体に取り付けられる前記ヒンジの第２取付部がそれぞれ前記連結辺に対して所定角度傾斜しており、
前記第１の取付部と前記第２の取付部の前記連結辺に対する傾斜方向は、前記第１取付部と前記第２取付部とを連結するヒンジ回転軸の軸線が、前記２つのヒンジの間の部分で交差する方向である折畳式物品の開閉装置。
【請求項２】
前記軸線の交差位置が、前記２つのヒンジの間の距離を二分する点に垂直な直線上にある請求項１に記載の折畳式物品の開閉装置。
【請求項３】
前記軸線の交差位置が、前記第１筺体と前記第２筺体の重ね合わせ面の上にある請求項１又は２に記載の折畳式物品の開閉装置。
【請求項４】
前記第２取付部は、前記第２筺体に回転軸によって取り付けられている請求項１から３の何れか１項に記載の折畳式物品の開閉装置。
【請求項５】
ヒンジにより、第１筺体に対して第２筺体を折り畳み可能に連結する折畳式物品の開閉装置を備えた電子機器であって、
前記ヒンジは、前記第１筺体と前記第２筺体が折り畳まれた状態で、前記第１筺体の前記第２筐体との連結辺の両側に１つずつ設けられており、
前記第１筺体に取り付けられる前記ヒンジの第１取付部と、前記第２筺体に取り付けられる前記ヒンジの第２取付部がそれぞれ前記連結辺に対して所定角度傾斜しており、
前記第１の取付部と前記第２の取付部の前記連結辺に対する傾斜方向は、前記第１取付部と前記第２取付部とを連結するヒンジ回転軸の軸線が、前記２つのヒンジの間の部分で交差する方向である折畳式物品の開閉装置を備えた電子機器。
【発明の詳細な説明】
【技術分野】
【０００１】
本出願は折畳式物品の開閉装置及び該開閉装置を備えた電子機器に関する。
【背景技術】
【０００２】
ヒンジ（蝶番）を用いて折り畳み可能な折畳式物品が知られている。例えば、写真立てや看板等が折畳式物品として知られているが、電子機器の中にも、ゲーム機やノート型パーソナルコンピュータ（以後ノートパソコンと記す）が折畳式物品として知られている。
【０００３】
図１（ａ）から図１（ｃ）及び図２（ａ）は、折畳式物品の一例として、本体部１とディスプレイ部２とを備えたノートパソコン３を示すものである。ヒンジ４は本体部１とディスプレイ部２とを連結する辺５の部分の両側の位置に設けられており、２つのヒンジ４のヒンジ回転軸４Ａは一致している。折り畳まれた状態のノートパソコン３は、ディスプレイ部２をヒンジ回転軸４Ａの回りに回転させることによって、図１（ａ）の状態から図１（ｂ）の状態を経て、図１（ｃ）に示す状態まで開くことができる。また、図２（ａ）、（ｂ）はディスプレイ部２を本体部１に対して直角になるように開いた時の平面図と側面図を示している。
【０００４】
また、近年、電子回路の集積化により電子機器の薄型化が図られており、図１（ａ）から図１（ｃ）及び図２（ａ）に示したノートパソコン３も薄型化が図られている。ノートパソコンは一般に、屋外使用を考慮してバッテリが内蔵されている。このバッテリは、ノートパソコンの薄型化の障害となる。そこで、ノートパソコンの薄型化の障害となるバッテリをヒンジの間のスペースに収めることによって薄型化を達成した電子機器が特許文献１及び特許文献２に開示されている。
【０００５】
一方、近年、図３に示すように、ディスプレイ部２にタッチパネル付ディスプレイを搭載して、入力操作をタッチパネル付ディスプレイへのタッチ操作でも行うことができるノートパソコン３やゲーム機等の電子機器が実用化された。タッチパネル付ディスプレイは、以後単にタッチパネルと記す。タッチパネルを備えたノートパソコン３では、メニュー選択や文字入力等が、ディスプレイ部２のタッチパネルへのタッチ操作により行うことができる。タッチ操作は通常、操作者の指Ｆによって行われる。６は入力キーである。
【先行技術文献】
【特許文献】
【０００６】
【特許文献１】特開２００５−１６５６３７号公報
【０００７】
【特許文献２】特開２０１２−１３７８８３号公報
【発明の概要】
【発明が解決しようとする課題】
【０００８】
ところが、薄型化が進んだ折畳式の情報機器、例えば薄型のノートパソコンのディスプレイ部にタッチパネルを採用し、画面に指でタッチすることによって入力操作を行うと、薄い筺体が揺れ、画面が見づらくなったり、タッチ操作の操作性が損なわれるという課題がある。薄い筺体がタッチ操作によって揺れ易い理由は、ヒンジ軸の小径化、薄型筺体による剛性の低さであると考えられる。
【０００９】
１つの側面では、本出願は、薄型化され、ディスプレイ部をヒンジによって回転させて使用する折畳式物品において、ディスプレイ部に対して外力が加わってもディスプレイ部の揺れを低減可能な折畳式物品の開閉装置及び該開閉装置を備えた電子機器を提供することを目的とする。
【課題を解決するための手段】
【００１０】
１つの形態によれば、ヒンジにより、第１筺体に対して第２筺体を折り畳み可能に連結する折畳式物品の開閉装置であって、ヒンジは、第１筺体と第２筺体が折り畳まれた状態で、第１筺体の第２筐体との連結辺の両側に１つずつ設けられており、第１筺体に取り付けられるヒンジの第１取付部と、第２筺体に取り付けられるヒンジの第２取付部がそれぞれ連結辺に対して所定角度傾斜しており、第１の取付部と第２の取付部の連結辺に対する傾斜方向は、第１取付部と第２取付部とを連結するヒンジ回転軸の軸線が、２つのヒンジの間の部分で交差する方向である折畳式物品の開閉装置が提供される。
【００１１】
他の形態によれば、ヒンジにより、第１筺体に対して第２筺体を折り畳み可能に連結する折畳式物品の開閉装置を備えた電子機器であって、ヒンジは、第１筺体と第２筺体が折り畳まれた状態で、第１筺体の第２筐体との連結辺の両側に１つずつ設けられており、第１筺体に取り付けられるヒンジの第１取付部と、第２筺体に取り付けられるヒンジの第２取付部がそれぞれ連結辺に対して所定角度傾斜しており、第１の取付部と第２の取付部の連結辺に対する傾斜方向は、第１取付部と第２取付部とを連結するヒンジ回転軸の軸線が、２つのヒンジの間の部分で交差する方向である折畳式物品の開閉装置を備えた電子機器が提供される。
【発明の効果】
【００１２】
開示の折畳式物品の開閉装置及び該開閉装置を備えた電子機器では、折畳式物品や電子機器において、ヒンジによって回転して開いた状態のディスプレイ部に対して、外力が加わってもディスプレイ部の揺れを低減できるという効果がある。
【図面の簡単な説明】
【００１３】
【図１】（ａ）は比較技術のノートパソコンの閉じた状態の斜視図、（ｂ）は（ａ）の状態からディスプレイ部が僅かに開かれた状態を示す斜視図、（ｃ）は（ｂ）の状態からディスプレイ部が全開した状態を示す斜視図である。
【図２】（ａ）は図１（ａ）に示したノートパソコンのディスプレイ部が本体部に対して直角に開かれた状態を示す平面図、（ｂ）は（ａ）の一部省略側面図である。
【図３】ディスプレイ部にタッチパネルを備えたノートパソコンの斜視図である。
【図４】（ａ）は本出願の第１の実施例の開閉装置が取り付けられたノートパソコンの閉じた状態を示す平面図、（ｂ）は（ａ）に示したノートパソコンのディスプレイ部が本体部に対して直角方向まで開かれた状態を示す平面図である。
【図５】（ａ）は本出願の第１の実施例の開閉装置の動作を示すために製作した折畳式物品の開閉モデルの平面図、（ｂ）は（ａ）の側面図、（ｃ）は（ａ）に示した開閉モデルにおける本出願の第１の実施例の開閉装置の構造を示す部分拡大斜視図である。
【図６】（ａ）は図５（ａ）に示した開閉モデルの２つの開閉部材が閉じた状態の斜視図、（ｂ）は（ａ）に示した状態から２つの開閉部材が僅かに開かれた状態を示す斜視図、（ｃ）は（ｂ）に示した２つの開閉部材が更に開かれた状態を示す斜視図である。
【図７】（ａ）は図６（ｃ）に示した２つの開閉部材が本体部に対して直角になるまで開かれた状態を示す斜視図、（ｂ）は（ａ）に示した開閉部材の間の部分に筺体が存在した場合の筐体の変形を示す斜視図である。
【図８】（ａ）は図５（ｃ）に示した折畳式物品の開閉モデルにおける本出願の第２の実施例の開閉装置の２つの開閉部材への取り付けを説明する組立斜視図、（ｂ）は（ａ）に示した第２の実施例の開閉装置の動作を示す部分拡大斜視図である。
【図９】図８（ｂ）に示した開閉モデルにおける開閉部材の間の部分に筺体が存在した場合の筐体の変形を示す斜視図である。
【図１０】（ａ）は本出願の第２の実施例の開閉装置が取り付けられたノートパソコンの閉じた状態を示す斜視図、（ｂ）は（ａ）に示したノートパソコンのディスプレイ部が本体部に対して直角方向まで開かれた状態を示す斜視図である。
【図１１】（ａ）は本出願の第２の実施例の開閉装置が取り付けられたノートパソコンの閉じた状態を示す平面図、（ｂ）は（ａ）の側面図、（ｃ）は（ａ）に示したノートパソコンのディスプレイ部が本体部に対して直角方向まで開かれた状態を示す平面図、（ｄ）は（ｃ）の一部省略側面図である。
【図１２】（ａ）は本出願の第３の実施例の開閉装置が取り付けられたノートパソコンの閉じた状態を示す平面図、（ｂ）は（ａ）の側面図、（ｂ）は（ａ）に示したノートパソコンのディスプレイ部が本体部に対して直角方向まで開かれた状態を示す平面図、（ｄ）は（ｃ）の一部省略側面図である。
【図１３】（ａ）は本出願の第２の実施例の開閉装置が取り付けられた開閉式物品の開いた状態の斜視図、（ｂ）は本出願の第３の実施例の開閉装置が取り付けられた開閉式物品の開いた状態の斜視図である。
【発明を実施するための形態】
【００１４】
以下、添付図面を用いて本出願の実施の形態を、具体的な実施例に基づいて詳細に説明する。なお、図１及び図２を用いて説明した比較技術のノートパソコン３の構造については変更がないので、比較技術のノートパソコン３と同じ構成部材には同じ符号を付して説明する。
【００１５】
図４（ａ）は、本出願の第１の実施例の開閉装置４１が取り付けられたノートパソコン３の閉じた状態を示すものである。第１の実施例の開閉装置４１は、本体部１とディスプレイ部２とを連結する辺５の部分の両側の位置に設けられた２つのヒンジ４を備えている。図１（ａ）で説明した比較技術のノートパソコン３における２つのヒンジ４は、そのヒンジ回転軸４Ａが一致するように、本体部１に取り付けられていた。
【００１６】
一方、本出願の第１の実施例の開閉装置４１における２つのヒンジ４は、そのヒンジ回転軸４Ａが一致しておらず、ヒンジ回転軸４Ａの軸線ＡＸは、本体部１とディスプレイ部２とを連結する辺５に対して所定の角度Ａを備えている。角度Ａは２°〜４°の範囲である。即ち、２つのヒンジ回転軸４Ａの軸線ＡＸが、本体部１の上の点Ｂで交差するように、２つのヒンジ４が本体部１に２°〜４°傾けた状態で取り付けられている。そして、ディスプレイ部２の筐体の剛性は、本体部１の筐体の剛性よりも低く形成されている。ディスプレイ部２の筐体の剛性を本体部１の筐体の剛性よりも低くするためには、筺体の材料の硬度を低くする方法や、筺体の厚さを薄くする等の方法が考えられる。
【００１７】
このため、ノートパソコン３のディスプレイ部２を本体部１に対して開くと、ディスプレイ部２は本体部１側を凸にして湾曲する。図４（ｂ）は図４（ａ）に示したノートパソコン３のディスプレイ部２が本体部１に対して直角方向まで開かれた状態を示すものであり、ディスプレイ部２は本体部１側を凸にして湾曲している状態を示している。従って、ディスプレイ部２にタッチパネルが備えられている場合は、ディスプレイ部２は本体部１側を凸にして湾曲しているので、本体部１側から加わる外力に対して対抗することができ、タッチ操作によってディスプレイ部２が振動しにくい。
【００１８】
ここで、２つのヒンジ４を備える第１の実施例の開閉装置４１を備えるノートパソコン３おいて、ディスプレイ部２を本体部１に対して開くと、ディスプレイ部２が本体部１側を凸にして湾曲する原理について、折畳式物品の開閉モデル１０を用いて説明する。図５（ａ）は第１の実施例の開閉装置４１が取り付けられた折畳式物品の開閉モデル１０の平面図であり、図５（ｂ）は図５（ａ）の側面図である。折畳式物品の開閉モデル１０には、本体部１１と２つの矩形の板状の開閉部材１２があり、開閉部材１２は短手方向の１方の辺がヒンジ４で本体部１１に連結されている。開閉部材１２の長手方向の辺の長さは本体部１１の短手方向の辺の長さに等しい。２つのヒンジ４は、本体部１１の上面にある１つの辺１５の両側に、辺１５に対して所定角度Ａだけ傾いた状態で取り付けられている。
【００１９】
図５（ｃ）は、本体部１１に２つの開閉部材１２が２つのヒンジ４によって取り付けられる状態を拡大して示すものである。実際には、２つのヒンジ４が辺１５に対して傾いて取り付けられる場合の角度Ａは２°〜４°の範囲であるが、本図には、説明を分かり易くするために、角度Ａを誇張して記載してある。ヒンジ４には本体部１１にネジ７で取り付けられる第１取付部４Ｂと、開閉部材１２にネジ７で取り付けられる第２取付部４Ｃがあり、第１取付部４Ｂと第２取付部４Ｃはヒンジ回転軸４Ａで回転自在に連結されている。
【００２０】
図６（ａ）は、図５（ａ）に示した開閉モデル１０の２つの開閉部材１２が閉じた状態を示すものである。開閉装置４１のヒンジ回転軸４Ａは、本体部１１の辺１５に対して所定角度Ａ傾いて取り付けられている（図には辺１５に平行な線Ｌに対して所定角度Ａ傾いた状態が記載されている）。開閉部材１２が閉じた状態では、２つの開閉部材１２はお互いに角度がなく、２つの開閉部材１２の上下の面は同じ平面上にある。また、開閉部材１２の側面１２Ｓは、本体部１１の側面１１Ｓと同じ平面上にある。このとき、２つの開閉部材１２の先端部から同じ距離だけ離れた、先端部に平行な線Ｐは一直線上にある。
【００２１】
図６（ｂ）は、図６（ａ）に示した状態から２つの開閉部材１２が僅かに開かれた状態を示している。２つの開閉部材１２の開き角は同じであるとする。２つのヒンジ４の回転軸４Ａは、辺１５に対してそれぞれ違う向きに所定角度Ａで傾いているので、２つの開閉部材１２を開いていくと、２つの開閉部材１２はお互いに角度を持つようになり、２つの開閉部材１２の上下の面は同じ平面の上には位置しなくなる。
【００２２】
このとき、開閉装置４１のヒンジ回転軸４Ａは本体部１１の辺１５に対して所定角度Ａ傾いて取り付けられているので、２つの開閉部材１２の先端部から同じ距離だけ離れた平行な線Ｐは交差する。図６（ｃ）は図６（ｂ）に示した２つの開閉部材１２が、更に開かれた状態を示している。２つの開閉部材１２の開き角は同じであるとする。この状態でも２つの開閉部材１２の先端部から同じ距離だけ離れた、先端部に平行な線Ｐは交差する。
【００２３】
図７（ａ）は、図６（ｃ）に示した２つの開閉部材１２が、本体部１１に対して直角になる位置まで開かれた状態を示すものである。開閉装置４１のヒンジ回転軸４Ａは本体部１１の辺１５に対して所定角度Ａだけ傾いて取り付けられているので、この状態では、２つの開閉部材１２の先端部から同じ距離だけ離れた、先端部に平行な線Ｐは所定角度２Ａで交差する。
【００２４】
従って、図７（ｂ）に示すように、図７（ａ）に示した２つの開閉部材１２の間の部分に、可撓性を備えた筺体１３が存在した場合は、筐体１３は本体部１１側を凸にして撓む（湾曲する）ように変形する。よって、２つの開閉部材１２と可撓性筺体１３を一体的に形成した筺体は、本体部１１側を凸にして湾曲することが分る。
【００２５】
但し、図７（ａ）、（ｂ）から分かるように、開閉部材１２が本体部１１から開いた状態では、本体部１１に近い側の開閉部材１２の間の距離の方が、本体部１１から離れた先端部側の開閉部材１２の間の距離よりも長い。このため、２つの開閉部材１２の間の部分にある可撓性を備えた筺体１３でも本体部１１側と先端部側とでは変形量が異なり、不自然な変形が発生することがある。このため、ヒンジ４の辺１５に対する傾斜角度Ａを余り大きくすることができない。
【００２６】
そこで、本出願の第２の実施例の開閉装置４２では、開閉部材１２に、第１の実施例のヒンジ４の第２取付部４Ｃと開閉部材１２の間に自由度を持たせたヒンジ８を取り付けたので、これを図８及び図９を用いて説明する。図８（ａ）は、図５（ｃ）に示した折畳式物品の開閉モデル１０における第１の実施例の開閉装置４１の２つのヒンジ４を、ヒンジ８に置き換えた折畳式物品の開閉モデル１０Ａを示している。
【００２７】
第２の実施例の開閉装置４２においても、実際には、２つのヒンジ８が辺１５に対して傾いて取り付けられる場合の角度Ａは２°〜４°の範囲であるが、本図には、説明を分かり易くするために、角度Ａを誇張して記載してある。ヒンジ８には、本体部１１にネジ７で取り付けられる第１取付部８Ｂと、開閉部材１２に回転軸９で取り付けられる第２取付部８Ｃがあり、第１取付部８Ｂと第２取付部８Ｃはヒンジ回転軸８Ａで回転自在に連結されている。回転軸９は、第２取付部８Ｃに設けられた、回転軸９の直径よりも僅かに大きい内径を備えた貫通孔８Ｈを挿通して、開閉部材１２に螺着される。
【００２８】
この結果、図８（ｂ）に示すように、ヒンジ８の第１取付部８Ｂは本体部１１に固定されているが、第２取付部８Ｃは回転軸９で開閉部材１２に取り付けられているので、開閉部材１２は第２取付部８Ｃに対して回動可能である。即ち、第２の実施例の開閉装置４２では、図９に示すように、開閉部材１２とヒンジ８の間に自由度があるので、開閉部材１２を本体部１１に対して直角になる位置まで開いた時に、開閉部材１２の基部がヒンジ８に対して回転できる。
【００２９】
図７（ａ）、（ｂ）に示した第１の実施例では、開閉部材１２が本体部１１から直角に開いた状態では、本体部１１に近い側の開閉部材１２の間の距離の方が、本体部１１から離れた先端部側の開閉部材１２の間の距離より長かった。一方、第２の実施例では、開閉部材１２が本体部１１から直角に開いた時に、開閉部材１２の基部がヒンジ８に対して回転できるので、本体部１１から離れた先端部側の開閉部材１２の間の距離を、本体部１１に近い側の開閉部材１２の間の距離と同じにできる。
【００３０】
この結果、２つの開閉部材１２の間の部分に、可撓性を備えた筺体１３を設けた場合に、可撓性を備えた筺体１３の本体部１１側における不自然な変形の低減が可能であり、可撓性を備えた筺体１３は滑らかに湾曲できる。このため、ヒンジ８の辺１５に対する傾斜角度を第１の実施例に比べて大きくすることができる。
【００３１】
図１０（ａ）は、本出願の第２の実施例の開閉装置４２が取り付けられたノートパソコン３の閉じた状態を示す斜視図であり、図１１（ａ）は図１０（ａ）の平面図であり、図１１（ｂ）は図１１（ａ）の側面図である。これらの図に示す状態では、本体部１に対してディスプレイ部２が平坦であり、ディスプレイ部２は本体部１の上にぴったりと重なっている。第２の実施例の開閉装置４２の２つのヒンジ８は、ノートパソコン３の１つの辺５に対して所定角度Ａでそれぞれ傾いた状態で本体部１とディスプレイ部２との間に取り付けられている。ディスプレイ部２の筐体の剛性が、本体部１の筐体の剛性よりも低く形成されている点は、第１の実施例の開閉装置４１が取り付けられたノートパソコン３と同様である。
【００３２】
図１０（ｂ）は、図１０（ａ）に示したノートパソコン３のディスプレイ部２が本体部１に対して直角方向まで開かれた状態を示す斜視図であり、図１１（ｃ）は図１０（ｂ）の平面図であり、図１１（ｄ）は図１１（ｃ）の一部を省略した側面図である。本体部１に対してディスプレイ部３が直角になるまで開くと、ディスプレイ部２は本体部１の側を凸にして僅かに湾曲する。ディスプレイ部２の下部は第２の実施例の開閉装置４２にあるヒンジ８に対して回転するので、不自然な変形がなくなり、図１０（ｂ）、図１１（ｃ）に示す曲線Ｑのように、ディスプレイ部２は滑らかに湾曲している。
【００３３】
このように、ノートパソコン３のディスプレイ部２を本体部１に対して開いた時に、ディスプレイ部２が本体部１側を凸にして湾曲すると、ディスプレイ部２にタッチパネルが備えられている場合のタッチ操作に対して、ディスプレイ部２が振動し難い。これは、ディスプレイ部２は本体部１側を凸にして湾曲しているので、本体部１側から加わる外力に対して強度を向上させることができ、タッチ操作によってディスプレイ部２が振動しにくいからである。また同時に、モーメントによりヒンジ回転軸８Ａの摩擦も増加し、ディスプレイ部２の揺れを抑えることができる。
【００３４】
図１２（ａ）は、本出願の第３の実施例の開閉装置４３が取り付けられたノートパソコン３の閉じた状態を示すものであり、図１２（ｂ）は図１２（ａ）の側面図である。第３の実施例の開閉装置４３が第２の実施例の開閉装置４２と異なる点は、本体部１の上面の両側に取り付けられているヒンジ８の向きである。図１１（ａ）に示すように、第２の実施例の開閉装置４２の２つのヒンジ８は、そのヒンジ回転軸８Ａの軸線ＡＸが、本体部１とディスプレイ部２とを連結する辺５に対して所定の角度Ａを備えており、本体部１の上の点Ｂで交差していた。
【００３５】
これに対して、第３の実施例の開閉装置４３の２つのヒンジ８は、そのヒンジ回転軸８Ａの軸線ＡＸが、本体部１とディスプレイ部２とを連結する辺５に対して所定の角度Ａを備える点は同じであるが、本体部１の外の点Ｃで交差している。所定角度Ａの大きさは、第２の実施例の開閉装置４２と同様に、２°〜４°で良い。即ち、２つのヒンジ回転軸８Ａの軸線ＡＸが、本体部１の外の点Ｃで交差するように、２つのヒンジ８が本体部１の辺５に対して２°〜４°傾いた状態で取り付けられている。そして、ディスプレイ部２の筐体の剛性は、本体部１の筐体の剛性よりも低く形成されている。
【００３６】
図１２（ｃ）、（ｄ）は、図１２（ａ）、（ｂ）に示したノートパソコン３のディスプレイ部２が本体部１に対して直角方向まで開かれた状態を示すものである。第３の実施例では、第２の実施例と同様に、ディスプレイ部２とヒンジ８は回転軸を介して連結接続されている。このため、本体部１に対してディスプレイ部３を直角になるまで開くと、ディスプレイ部２は本体部１の側を凹にして滑らかに湾曲する。即ち、ディスプレイ部２の下部は、第３の実施例の開閉装置４３にあるヒンジ８に対して回転しているので、図１２（ｃ）に示す曲線Ｒのように、ディスプレイ部２は滑らかに湾曲している。
【００３７】
ノートパソコン３のディスプレイ部２を本体部１に対して開いた時に、ディスプレイ部２が本体部１側を凹にして湾曲したノートパソコン３では、ディスプレイ部２は本体部１と反対側から入力される外力に対して対抗力がある。即ち、ディスプレイ部２の本体部１と重ならない外側にタッチパネルが備えられている場合のタッチ操作に対して、ディスプレイ部２が振動し難い。これは、ディスプレイ部２は本体部１側を凹にして外側に湾曲しているので、本体部１の外側から加わる外力に対して強度を向上させることができ、タッチ操作によってディスプレイ部２が振動しにくいからである。また同時に、モーメントによりヒンジ回転軸８Ａの摩擦も増加し、ディスプレイ部２の揺れを抑えることができる。
【００３８】
以上のような、開閉装置４１，４２，４３は、薄型のノートパソコンやゲーム機等の開閉装置として適用できる他に、例えば、開いた時に一方の面を湾曲形状にすることにより、表示を目立たせる用途の物品に応用できる。図１３（ａ）は、本出願の第２の実施例の開閉装置（図示せず）が取り付けられた物品３０の開いた状態を示すものである。この例では、一方の表示面３１が前方を凸にして湾曲している。また、図１３（ｂ）は、本出願の第２の実施例の開閉装置（図示せず）が取り付けられた物品５０の開いた状態を示すものである。この例では、一方の表示面５１が前方を凹にして湾曲している。このような物品３０，５０としては、写真立てや立て看板が考えられる。いずれの物品も、湾曲面に表示する内容を強調することが可能である。また、反り形状により剛性がＵＰし、看板等の強度を向上させることができる。
【００３９】
以上、本出願を特にその好ましい実施の形態を参照して詳細に説明した。本出願の容易な理解のために、本出願の具体的な形態を以下に付記する。
【００４０】
（付記１）  ヒンジにより、第１筺体に対して第２筺体を折り畳み可能に連結する折畳式物品の開閉装置であって、
前記ヒンジは、前記第１筺体と前記第２筺体が折り畳まれた状態で、前記第１筺体の前記第２筐体との連結辺の両側に１つずつ設けられており、
前記第１筺体に取り付けられる前記ヒンジの第１取付部と、前記第２筺体に取り付けられる前記ヒンジの第２取付部がそれぞれ前記連結辺に対して所定角度傾斜しており、
前記第１の取付部と前記第２の取付部の前記連結辺に対する傾斜方向は、前記第１取付部と前記第２取付部とを連結するヒンジ回転軸の軸線が、前記２つのヒンジの間の部分で交差する方向である折畳式物品の開閉装置。
（付記２）  前記軸線の交差位置が、前記２つのヒンジの間の距離を二分する点に垂直な直線上にある付記１に記載の折畳式物品の開閉装置。
（付記３）  前記軸線の交差位置が、前記第１筺体と前記第２筺体の重ね合わせ面の上にある付記１又は２に記載の折畳式物品の開閉装置。
（付記４）  前記軸線の交差位置が、前記第１筺体と前記第２筺体の重ね合わせ面よりも外側にある付記１又は２に記載の折畳式物品の開閉装置。
（付記５）  前記第２取付部は、前記第２筺体に回転軸によって取り付けられている付記１から４の何れかに記載の折畳式物品の開閉装置。
【００４１】
（付記６）  前記第１筐体の厚さよりも前記第２筐体の厚さが薄い付記１から５の何れかに記載の折畳式物品の開閉装置。
（付記７）  前記第１筐体を形成する材料の硬度が、前記第２筐体を形成する材料の硬度よりも大きい付記１から５の何れかに記載の折畳式物品の開閉装置。
（付記８）  前記第２筺体にはタッチパネル付ディスプレイが設けられている付記１から６の何れかに記載の折畳式物品の開閉装置。
（付記９）  前記軸線の交差位置がある側の前記第２筺体の面に、タッチパネル付ディスプレイが設けられている付記３又は４に記載の折畳式物品の開閉装置。
（付記１０）  前記所定角度が２°から４°の範囲である付記１から９の何れかに記載の折畳式物品の開閉装置。
【００４２】
（付記１１）  ヒンジにより、第１筺体に対して第２筺体を折り畳み可能に連結する折畳式物品の開閉装置を備えた電子機器であって、
前記ヒンジは、前記第１筺体と前記第２筺体が折り畳まれた状態で、前記第１筺体の前記第２筐体との連結辺の両側に１つずつ設けられており、
前記第１筺体に取り付けられる前記ヒンジの第１取付部と、前記第２筺体に取り付けられる前記ヒンジの第２取付部がそれぞれ前記連結辺に対して所定角度傾斜しており、
前記第１の取付部と前記第２の取付部の前記連結辺に対する傾斜方向は、前記第１取付部と前記第２取付部とを連結するヒンジ回転軸の軸線が、前記２つのヒンジの間の部分で交差する方向である折畳式物品の開閉装置を備えた電子機器。
（付記１２）  前記軸線の交差位置が、前記２つのヒンジの間の距離を二分する点に垂直な直線上にある付記１１に記載の折畳式物品の開閉装置を備えた電子機器。
（付記１３）  前記軸線の交差位置が、前記第１筺体と前記第２筺体の重ね合わせ面の上にある付記１１又は１２に記載の折畳式物品の開閉装置を備えた電子機器。
（付記１４）  前記軸線の交差位置が、前記第１筺体と前記第２筺体の重ね合わせ面よりも外側にある付記１１又は１２に記載の折畳式物品の開閉装置を備えた電子機器。
（付記１５）  前記第２取付部は、前記第２筺体に回転軸によって取り付けられている付記１１から１４の何れかに記載の折畳式物品の開閉装置を備えた電子機器。
【００４３】
（付記１６）  前記第１筐体の厚さよりも前記第２筐体の厚さが薄い付記１１から１５の何れかに記載の折畳式物品の開閉装置を備えた電子機器。
（付記１７）  前記第１筐体を形成する材料の硬度が、前記第２筐体を形成する材料の硬度よりも大きい付記１１から１５の何れかに記載の折畳式物品の開閉装置を備えた電子機器。
（付記１８）  前記第２筺体にはタッチパネル付ディスプレイが設けられている付記１１から１６の何れかに記載の折畳式物品の開閉装置を備えた電子機器。
（付記１９）  前記第２筺体の前記軸線の交差位置がある側の面に、タッチパネル付ディスプレイが設けられている付記１３又は１４に記載の折畳式物品の開閉装置を備えた電子機器。
（付記２０）  前記所定角度が２°から４°の範囲である付記１１から１９の何れかに記載の折畳式物品の開閉装置を備えた電子機器。
【符号の説明】
【００４４】
１、１１    本体部
２    ディスプレイ部
３    ノート型パーソナルコンピュータ（ノートパソコン）
４、８    ヒンジ
４Ａ、８Ａ    ヒンジ回転軸
４Ｂ、８Ａ    第１取付部
４Ｃ、８Ｃ    第２取付部
９    回転軸
１０    開閉モデル
１２    開閉部材
４１，４２，４３    開閉装置
【図１】
2015109013.tif 000003
【図２】
2015109013.tif 000004
【図３】
2015109013.tif 000005
【図４】
2015109013.tif 000006
【図５】
2015109013.tif 000007
【図６】
2015109013.tif 000008
【図７】
2015109013.tif 000009
【図８】
2015109013.tif 000010
【図９】
2015109013.tif 000011
【図１０】
2015109013.tif 000012
【図１１】
2015109013.tif 000013
【図１２】
2015109013.tif 000014
【図１３】
2015109013.tif 000015